(57)【特許請求の範囲】
【請求項１】
無線ネットワークのシグナリングネットワークノード（３００）により実行される、前記シグナリングネットワークノード（３００）が無線カバレッジを提供するエリア内の前記無線ネットワークへアクセスする少なくとも１つのワイヤレスデバイス（３０２）の動作を制御するための方法であって、
前記無線ネットワークへアクセスするために前記少なくとも１つのワイヤレスデバイス（３０２）により使用されるべきアクセスパラメータ構成を取得すること（４０１）と、異なる複数の同期信号の並びが予め定義されるアクセスパラメータ構成の圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられることと、
前記予め定義されるマッピングに従って、前記アクセスパラメータ構成に関連付けられる同期信号を取得すること（４０２）と、
取得される前記同期信号を前記少なくとも１つのワイヤレスデバイス（３０２）へシグナリングして（４０４）、シグナリングされる前記同期信号及び前記予め定義されるマッピングに基づいて予め定義されるアクセスパラメータ構成の前記圧縮済みセットから前記少なくとも１つのワイヤレスデバイス（３０２）が前記アクセスパラメータ構成を導出することを可能にすることと、
を含む方法。
【請求項２】
取得される前記アクセスパラメータ構成は、前記エリア内の現行のトラフィック状況に依存して選択されている、請求項１に記載の方法。
【請求項３】
異なるエリア、セクタ又はアンテナビームにおいて異なる同期信号がシグナリングされて、前記エリア、セクタ又はアンテナビーム内で対応する関連付けられるアクセスパラメータ構成が実装される、請求項１又は請求項２に記載の方法。
【請求項４】
シグナリングネットワークノード（９００）が無線カバレッジを提供するエリア内の無線ネットワークへアクセスする少なくとも１つのワイヤレスデバイス（９０２）の動作を制御する、ように構成される前記シグナリングネットワークノード（９００）であって、
前記無線ネットワークへアクセスするために前記少なくとも１つのワイヤレスデバイス（９０２）により使用されるべきアクセスパラメータ構成を取得する、
ように動作可能であり、異なる複数の同期信号の並びが予め定義されるアクセスパラメータ構成の圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられ、
前記シグナリングネットワークノード（９００）は、
前記予め定義されるマッピングに従って、前記アクセスパラメータ構成に関連付けられる同期信号を取得し、
取得される前記同期信号を前記少なくとも１つのワイヤレスデバイス（９０２）へシグナリングして、シグナリングされる前記同期信号及び前記予め定義されるマッピングに基づいて予め定義されるアクセスパラメータ構成の前記圧縮済みセットから前記少なくとも１つのワイヤレスデバイス（９０２）が前記アクセスパラメータ構成を導出することを可能にする、
ように動作可能である、シグナリングネットワークノード（９００）。
【請求項５】
取得される前記アクセスパラメータ構成は、前記エリア内の現行のトラフィック状況に依存して選択されている、請求項４に記載のシグナリングネットワークノード（９００）。
【請求項６】
異なるエリア、セクタ又はアンテナビームにおいて異なる同期信号がシグナリングされて、前記エリア、セクタ又はアンテナビーム内で対応する関連付けられるアクセスパラメータ構成が実装される、請求項４又は請求項５に記載のシグナリングネットワークノード（９００）。
【請求項７】
前記シグナリングネットワークノード（９００）は、シグナリングされる前記同期信号を用いて、前記少なくとも１つのワイヤレスデバイス（９０２）が存在するエリア、セクタ又はアンテナビーム内で実装される取得される前記アクセスパラメータ構成に基づいて、前記エリア、セクタ又はアンテナビーム内で前記少なくとも１つのワイヤレスデバイス（９０２）からのランダムアクセスメッセージについて監視する、ように構成される、請求項６に記載のシグナリングネットワークノード（９００）。
【請求項８】
予め定義されるアクセスパラメータ構成の前記圧縮済みセットは、前記エリアにわたってブロードキャストされる、請求項４〜７のいずれかに記載のシグナリングネットワークノード（９００）。
【請求項９】
前記シグナリングネットワークノード（９００）は、取得される前記同期信号を、前記少なくとも１つのワイヤレスデバイス（９０２）へブロードキャストにより又は専用シグナリングによりシグナリングする、ように構成される、請求項４〜８のいずれかに記載のシグナリングネットワークノード（９００）。
【請求項１０】
ワイヤレスデバイス（３０２）により実行される、シグナリングネットワークノード（３００）が無線カバレッジを提供するエリア内の無線ネットワークへアクセスするための方法であって、
前記シグナリングネットワークノード（３００）から、前記無線ネットワークへアクセスするための予め定義されるアクセスパラメータ構成の圧縮済みセット内に含まれるアクセスパラメータ構成に関連付けられる同期信号を受信すること（４０６）と、異なる複数の同期信号の並びが予め定義されるアクセスパラメータ構成の前記圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられることと、
受信される前記同期信号及び前記予め定義されるマッピングに基づいて、予め定義されるアクセスパラメータ構成の前記圧縮済みセットから前記アクセスパラメータ構成を導出すること（４０８）と、
導出される前記アクセスパラメータ構成に従って、前記無線ネットワークへアクセスすること（４１０）と、
を含む方法。
【請求項１１】
前記予め定義されるマッピングは、異なる複数の同期信号の前記並びが前記アクセスパラメータの１つの値（ＡＰ２１６−１８）へ及びサブテーブルへマッピングされるような、前記異なる複数の同期信号を前記異なる複数のアクセスパラメータ構成のうちの対応するアクセスパラメータ構成へマッピングするテーブル、を含み、前記サブテーブルにおいて、異なる複数の同期信号の前記並びに含まれる前記同期信号が前記アクセスパラメータのそれぞれの値（ＡＰ１１６，ＡＰ１１７，ＡＰ１１８）へマッピングされる、請求項１０に記載の方法。
【請求項１２】
前記予め定義されるマッピングは、異なる複数の同期信号の前記並びにおける各同期信号について、予め定義されるアクセスパラメータ構成の前記圧縮済みセット内の前記アクセスパラメータ（ＡＰ１１６，ＡＰ１１７，ＡＰ１１８）のそれぞれの値（ｆ１（ＳＳＩｘ））を判定するための、異なる複数の同期信号の前記並びの関数、を含む、請求項１０又は請求項１１に記載の方法。
【請求項１３】
前記ワイヤレスデバイス（３０２）は、予め定義されるアクセスパラメータ構成の前記圧縮済みセット及び前記予め定義されるマッピングを伴って予め構成されている、請求項１０〜１２のいずれかに記載の方法。
【請求項１４】
前記ワイヤレスデバイス（３０２）は、ブロードキャストネットワークノード（３０４）からのブロードキャストにおいて予め定義されるアクセスパラメータ構成の前記圧縮済みセットを受信する、請求項１０〜１３のいずれかに記載の方法。
【請求項１５】
前記ワイヤレスデバイス（３０２）は、前記シグナリングネットワークノード（３００）からブロードキャスト又は専用シグナリングにおいて前記同期信号を受信する、請求項１０〜１４のいずれかに記載の方法。
【請求項１６】
シグナリングネットワークノード（９００）が無線カバレッジを提供するエリア内の無線ネットワークへアクセスする、ように構成されるワイヤレスデバイス（９０２）であって、
前記シグナリングネットワークノード（９００）から、前記無線ネットワークへアクセスするための予め定義されるアクセスパラメータ構成の圧縮済みセット内に含まれるアクセスパラメータ構成に関連付けられる同期信号を受信する、
ように動作可能であり、異なる複数の同期信号の並びが予め定義されるアクセスパラメータ構成の前記圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられ、
前記ワイヤレスデバイス（９０２）は、
受信される前記同期信号及び前記予め定義されるマッピングに基づいて、予め定義されるアクセスパラメータ構成の前記圧縮済みセットから前記アクセスパラメータ構成を導出し、
導出される前記アクセスパラメータ構成に従って、前記無線ネットワークへアクセスする、
ように動作可能である、ワイヤレスデバイス（９０２）。
【請求項１７】
前記予め定義されるマッピングは、異なる複数の同期信号の前記並びが前記アクセスパラメータの１つの値（ＡＰ２１６−１８）へ及びサブテーブルへマッピングされるような、前記異なる複数の同期信号を前記異なる複数のアクセスパラメータ構成のうちの対応するアクセスパラメータ構成へマッピングするテーブル、を含み、前記サブテーブルにおいて、異なる複数の同期信号の前記並びに含まれる前記同期信号が前記アクセスパラメータのそれぞれの値（ＡＰ１１６，ＡＰ１１７，ＡＰ１１８）へマッピングされる、請求項１６に記載のワイヤレスデバイス（９０２）。
【請求項１８】
前記予め定義されるマッピングは、異なる複数の同期信号の前記並びにおける各同期信号について、予め定義されるアクセスパラメータ構成の前記圧縮済みセット内の前記アクセスパラメータ（ＡＰ１１６，ＡＰ１１７，ＡＰ１１８）のそれぞれの値（ｆ１（ＳＳＩｘ））を判定するための、異なる複数の同期信号の前記並びの関数、を含む、請求項１６又は請求項１７に記載のワイヤレスデバイス（９０２）。
【請求項１９】
前記ワイヤレスデバイス（９０２）は、予め定義されるアクセスパラメータ構成の前記圧縮済みセット及び前記予め定義されるマッピングを伴って予め構成されている、請求項１６〜１８のいずれかに記載のワイヤレスデバイス（９０２）。
【請求項２０】
前記ワイヤレスデバイス（９０２）は、ブロードキャストネットワークノード（９０４）からのブロードキャストにおいて予め定義されるアクセスパラメータ構成の前記圧縮済みセットを受信する、請求項１６〜１９のいずれかに記載のワイヤレスデバイス（９０２）。
【請求項２１】
前記ワイヤレスデバイス（９０２）は、前記シグナリングネットワークノード（９００）からブロードキャスト又は専用シグナリングにおいて前記同期信号を受信する、請求項１６〜２０のいずれかに記載のワイヤレスデバイス（９０２）。
【請求項２２】
無線ネットワークのブロードキャストネットワークノード（３０４）により実行される、シグナリングネットワークノード（３００）が無線カバレッジを提供するエリア内の前記無線ネットワークへアクセスする少なくとも１つのワイヤレスデバイス（３０２）の動作を制御するための方法であって、
予め定義されるアクセスパラメータ構成の圧縮済みセットをブロードキャストすること（４００）と、異なる複数の同期信号の並びが予め定義されるアクセスパラメータ構成の前記圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられることと、
を含み、前記シグナリングネットワークノード（３００）は、前記少なくとも１つのワイヤレスデバイス（３０２）に、予め定義されるアクセスパラメータ構成の前記圧縮済みセット内の前記アクセスパラメータ構成から予め定義されるマッピングに従って取得される同期信号をシグナリンクする、方法。
【請求項２３】
シグナリングネットワークノード（９００）が無線カバレッジを提供するエリア内の無線ネットワークへアクセスする少なくとも１つのワイヤレスデバイス（９０２）の動作を制御する、ように構成されるブロードキャストネットワークノード（９０４）であって、
予め定義されるアクセスパラメータ構成の圧縮済みセットをブロードキャストする、
ように動作可能であり、異なる複数の同期信号の並びが予め定義されるアクセスパラメータ構成の前記圧縮済みセット内のアクセスパラメータへマッピングされるような、前記異なる複数の同期信号と異なる複数のアクセスパラメータ構成との間の予め定義されるマッピングに従って、予め定義されるアクセスパラメータ構成の前記圧縮済みセット内の前記異なる複数のアクセスパラメータ構成に前記異なる複数の同期信号が関連付けられ、前記シグナリングネットワークノード（９００）は、前記少なくとも１つのワイヤレスデバイス（９０２）に、前記予め定義されるアクセスパラメータ構成の前記圧縮済みセット内の前記アクセスパラメータ構成から予め定義されるマッピングに従って取得される同期信号をシグナリンクする、
ブロードキャストネットワークノード（９０４）。
【請求項２４】
少なくとも１つのプロセッサ上で実行された場合に、前記少なくとも１つのプロセッサに、請求項１〜３のうちのいずれかに記載の前記方法を遂行させる命令を含む、コンピュータプログラム。
【請求項２５】
少なくとも１つのプロセッサ上で実行された場合に、前記少なくとも１つのプロセッサに、請求項１０〜１５のうちのいずれかに記載の前記方法を遂行させる命令を含む、コンピュータプログラム。
【請求項２６】
少なくとも１つのプロセッサ上で実行された場合に、前記少なくとも１つのプロセッサに、請求項２２に記載の前記方法を遂行させる命令を含む、コンピュータプログラム。
【請求項２７】
請求項２４に記載の前記コンピュータプログラムを収容したコンピュータ読取可能な記憶媒体。
【請求項２８】
請求項２５に記載の前記コンピュータプログラムを収容したコンピュータ読取可能な記憶媒体。
【請求項２９】
請求項２６に記載の前記コンピュータプログラムを収容したコンピュータ読取可能な記憶媒体。
【発明の詳細な説明】
【技術分野】
【０００１】
本開示は、概して、シグナリングネットワークノードが無線カバレッジを提供するエリアにおいて無線ネットワークへのアクセスを制御するための、無線ネットワークのシグナリング及びブロードキャストネットワークノードと、ワイヤレスデバイスと、それらにおける方法とに関連する。
【背景技術】
【０００２】
典型的に複数のセル又は類似のものへ分割される様々なエリア内の多様なワイヤレスデバイスのために無線通信を提供するための、多様なタイプの無線ネットワークが開発されてきている。ワイヤレス、セルラー又はモバイルネットワークとしても通常言及される無線ネットワークは、より良好なキャパシティ、品質及びカバレッジを提供して、サービスを用いる加入者から、並びに、スマートフォン及びタブレットといったますます高度化している通信用端末から、の需要を満たすためにコンスタントに改善されており、それらはネットワーク内のデータトランスポートのためにかなりの量の帯域幅及びリソースをしばしば要する。従って、無線ネットワーク内のネットワークノードと、それらネットワークノードと通信する多様なワイヤレスデバイスとの間の無線通信において、例えば高いデータスループット、低レイテンシ、及び破棄される呼又は逸失するデータのレートが低いことといった観点での、高いキャパシティ及び良好な性能を達成することが課題となることが多い。
【０００３】
モバイル又はワイヤレス通信の分野において、“ワイヤレスデバイス”との用語が、無線信号を送信し及び受信することにより無線ネットワークと無線通信可能な、例えばモバイル電話、タブレット及びラップトップコンピュータといった任意の通信エンティティを表現するために使用されることが多く、本開示において使用されるであろう。この分野における他の通常の用語は“ユーザ機器（ＵＥ）”であり、よってこれはワイヤレスデバイスに相当する。この文脈におけるワイヤレスデバイスは、例えばあるインターバルで又はあるイベントに応じて、無線ネットワーク上でレポートを送信する、ように構成される、センサ、カウンタ又は測定エンティティといった、自律的に動作するマシンツーマシン型のデバイスでもあり得る。さらに、“ネットワークノード”との用語が、ワイヤレスデバイスとの間で無線信号を通信するように配置される無線ネットワークの任意のノードを表現するためにここで使用される。この文脈において、ネットワークノードは、基地局、無線ノード、ｅＮｏｄｅＢ、ｅＮＢ、基地送受信局、アクセスポイントなどとしてもしばしば言及される。
【０００４】
無線ネットワークにおけるキャパシティ及び性能を改善する目的で、リソース使用の観点で無線通信をより効率的にすることを意図した多様な特徴を採用することができる。具体的には、ネットワーク内のエネルギー消費と共に、ネットワークノード及びワイヤレスデバイスによりなされる送信により生成される干渉の量を低減することが望ましく、これは転じて、キャパシティ及び性能の双方を改善し得るであろう。例えば、概して“ブロードキャストレイヤ”として言及されることのあるネットワークノードからのシステム情報のブロードキャストを制限することが望ましい。
【０００５】
図１は、多様なネットワークノードを含む階層的なネットワーク構造における通信シナリオを示しており、それらネットワークノードは、相対的に大規模なエリアＣ１にわたる無線カバレッジを提供する所謂“マクロ”ノード１００と、実質的にエリアＣ１内の格段に小規模なエリアＣ２にわたる無線カバレッジを提供する複数のさらなるネットワークノード１０２とを含む。マクロノード１００は、大規模なエリアＣ１にわたりシステム情報をブロードキャストし、システム情報は、エリアＣ１内に存在する任意のワイヤレスデバイスＤにより読み取り可能であって、例えばエリアＣ２のいずれかに存在する際にネットワークノード１０２との間でデータを通信する目的で使用される。典型的には、システム情報は、具体的なワイヤレスデバイスへデータを送信するために要するよりも高い電力でブロードキャストされる必要がある。これは、送信されるデータが、例えばより小規模なエリアＣ２のうちの１つの範囲内にある特定の１つのデバイスによる適切な受信のために調節することのできる送信電力及び方向を使用することでそのデバイスへ到達する必要があるのみである一方で、ブロードキャストされるシステム情報は、エリアＣ１の外れ（outskirts）に位置するものを含めて、大規模な無線カバレッジエリアＣ１内にたまたま存在するいかなるワイヤレスデバイスによっても適切に受信されるべきだからである。無線ネットワーク内のダウンリンク送信のための合計のエネルギー消費の約９９％は、典型的にはシステム情報をブロードキャストすることにより生み出されているものと推定される。
【０００６】
この文脈において取り組まれてきた１つの具体的なトピックは、ネットワークへアクセスするための手続において使用されるべきパラメータ設定を含む、アクセス情報のブロードキャストである。例えば、それらパラメータ設定は、アイドルモード中のワイヤレスデバイスがいかにして物理ランダムアクセスチャネル（ＰＲＡＣＨ）上でランダムアクセスメッセージを送信すべきか、及び、それらワイヤレスデバイスがいかにしてランダムアクセスレスポンス（ＲＡＲ）といったメッセージをネットワークから受信することができるか、に関連し得る。そうしたアクセス情報は、よって、アクセス手続においてワイヤレスデバイスにより使用され得る多様なパラメータ、例えば周波数、同期、時間ウィンドウ、ＰＲＡＣＨメッセージ内のプリアンブルシーケンス、及び電力レベルなど、に関連する。
【０００７】
この文脈における１つの共通的なアクセス手続は、任意のワイヤレスデバイスがそのデバイスのために前もって予約された無線リソース無しでＰＲＡＣＨ上でサービングネットワークノードへメッセージを送信することができるという競合ベースのアクセスであり、これは２つ以上のワイヤレスデバイスが偶然同時に送信を行う場合の衝突のリスクを伴う。競合ベースのアクセスのためにブロードキャストされ得るさらなるアクセスパラメータ設定は、バックオフタイマ、電力増加ステップ、バックオフ前のＰＲＡＣＨ試行の最大回数、アクセス制限に関連するかもしれず、アクセス制限とは、例えば、あるクローズド加入者グループに関連するものであって、それらグループは、例えば、ホーム基地局といったあるネットワークノードへアクセスすることを許可される家族のメンバ又は従業員、及び、ＰＲＡＣＨ上に輻輳が存在する場合に、あるデバイス又はあるサービスリクエストを伴うデバイスのみがＰＲＡＣＨ送信試行を行うことを許可されるような、サービスクラス又はユーザタイププライオリティ情報を含む。
【０００８】
提案されてきたこととして、合計のブロードキャスト時間長を低減し及び最小化し並びに干渉を回避するように、例えば、大規模な無線カバレッジを提供するマクロノードなどにより、及び／又は、各々より小規模な無線カバレッジを提供するいくつかのネットワークノードにより同時に、相対的に大規模なエリアにわたって定期的なインターバルで同期したやり方で同一のアクセス情報がブロードキャストされるべきである。その目標は、個々のデバイスへのデータ送信を別にすれば、できる限り少ししか送信を行わないことである。具体的なセル又はエリア内で進行中のデータ送信が存在しない場合、そのエリアのネットワークノードは、電力を節約するために、及び近隣のエリア内の干渉を回避するためにも、それらネットワークノードの送信機をブロードキャスト機会の合間にターンオフし、一般にＤＴＸとして知られる不連続送信（Discontinuous  Transmission）モードに入ることができる。そのエリア内にいるが呼又はセッションにおいてアクティブではない任意のアイドルなワイヤレスデバイスは、このケースにおいて、ネットワークノードに向けてランダムアクセスを実行する際に使用されるべきブロードキャストされるアクセス情報内の特定のアクセスパラメータのセット又は特定のエントリへの参照としてそのネットワークノードから送信される（ＳＳＩとして言及される）特定のシステムシグネチャインデックスシーケンスに基づいて、ブロードキャストされるアクセス情報から関係するアクセス情報を導出することができる。
【０００９】
しかしながら、異なるネットワークノードは、進行中のデータ通信、具体的なエリア内に存在するワイヤレスデバイスの数、及び現在送信されているランダムアクセスメッセージの数など、の観点でのその時点のトラフィック状況に依存して、異なるエリア内で局所的に、異なるアクセス関連パラメータのセットを適用する必要があるかもしれない。そのうえ、ネットワークノードは、アクセス手続を例えばトラフィック状況の変化に適応させるために、動的な基準で、アクセスパラメータ構成として言及されるアクセス関連パラメータの相異なるセットの間で、迅速な切り替えを行う必要があるかもしれない。これら課題は、適切に対処されてきておらず、よって、様々なアクセスパラメータ構成のそうした柔軟な使用を達成する解決策は現在のところ知られていない。
【００１０】
上述した適切なアクセスパラメータ構成の選択を動的な基準で様々なエリアについて可能にする目的で、様々なワイヤレスデバイスへ多くのアクセスパラメータ及びそれらの組み合わせを、例えばアクセス情報テーブル（ＡＩＴ）として言及される広範なテーブルの形式で通信する必要がある場合、ブロードキャストされる情報の量が相当になることもまた問題である。多大な数の要素（即ち、パラメータ設定）を含むそうした大規模なテーブルなどのブロードキャストは、高い電力消費及び潜在的な干渉に帰結する。
【発明の概要】
【発明が解決しようとする課題】
【００１１】
ここで説明される実施形態の目的は、上で概説した問題及び課題のうち少なくともいくつかに対処することである。添付の独立請求項に定義されているように、ネットワークノード、ワイヤレスデバイス、及びそれらにおける方法を用いることにより、この目的及び他の目的を達成することが可能である。
【課題を解決するための手段】
【００１２】
１つの観点によれば、シグナリングネットワークノードが無線カバレッジを提供するエリア内の無線ネットワークへアクセスする少なくとも１つのワイヤレスデバイスの動作を制御するための方法が、上記無線ネットワークの上記シグナリングネットワークノードにより実行される。この方法において、シグナリングネットワークノードは、アクセスパラメータ構成を取得する。上記アクセスパラメータ構成は、無線ネットワークへアクセスするために少なくとも１つのワイヤレスデバイスにより使用されることになる。異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に異なる複数の同期信号が関連付けられる。上記予め定義されるマッピングは、上記異なる複数の同期信号のレンジが予め定義されるアクセスパラメータ構成の圧縮済みセット内のあるアクセスパラメータへ共同的にマッピングされるようになされる。
【００１３】
上記シグナリングネットワークノードは、さらに、上記予め定義されるマッピングに従って、アクセスパラメータ構成に関連付けられる同期信号を取得し、及び取得される同期信号を少なくとも１つのワイヤレスデバイスへシグナリングする。それにより、シグナリングされるその同期信号及び上記予め定義されるマッピングに基づいて予め定義されるアクセスパラメータ構成の圧縮済みセットから少なくとも１つのワイヤレスデバイスが上記アクセスパラメータ構成を導出すること、を可能にする。
【００１４】
別の観点によれば、シグナリングネットワークノードが無線カバレッジを提供するエリア内の無線ネットワークへアクセスする少なくとも１つのワイヤレスデバイスの動作を制御するように、シグナリングネットワークノードが構成される。上記シグナリングネットワークノードは、アクセスパラメータ構成を取得するように動作可能である。上記アクセスパラメータ構成は、無線ネットワークへアクセスするために少なくとも１つのワイヤレスデバイスにより使用されるものとされる。異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に異なる複数の同期信号が関連付けられる。上記予め定義されるマッピングは、上記異なる複数の同期信号のレンジが予め定義されるアクセスパラメータ構成の圧縮済みセット内のあるアクセスパラメータへ共同的にマッピングされるようになされる。
【００１５】
上記シグナリングネットワークノードは、さらに、上記予め定義されるマッピングに従って、アクセスパラメータ構成に関連付けられる同期信号を取得し、及び取得される同期信号を少なくとも１つのワイヤレスデバイスへシグナリングして、シグナリングされるその同期信号及び上記予め定義されるマッピングに基づいて予め定義されるアクセスパラメータ構成の圧縮済みセットから少なくとも１つのワイヤレスデバイスが上記アクセスパラメータ構成を導出することを可能にする、ように動作可能である。
【００１６】
別の観点によれば、シグナリングネットワークノードが無線カバレッジを提供するエリア内の無線ネットワークへアクセスするための方法が、ワイヤレスデバイスにより実行される。この方法において、ワイヤレスデバイスは、シグナリングネットワークノードから、無線ネットワークへアクセスするための予め定義されるアクセスパラメータ構成の圧縮済みセット内に含まれるアクセスパラメータ構成に関連付けられる同期信号を受信する。異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、異なる複数の同期信号が関連付けられる。上記予め定義されるマッピングは、上記異なる複数の同期信号のレンジが予め定義されるアクセスパラメータ構成の圧縮済みセット内のあるアクセスパラメータへ共同的にマッピングされるようになされる。
【００１７】
上記ワイヤレスデバイスは、すると、受信される同期信号及び予め定義されるマッピングに基づいて、予め定義されるアクセスパラメータ構成の圧縮済みセットから上記アクセスパラメータ構成を導出し、及び導出されるそのアクセスパラメータ構成に従って、無線ネットワークへアクセスする。
【００１８】
別の観点によれば、シグナリングネットワークノードが無線カバレッジを提供するエリア内の無線ネットワークへアクセスするように、ワイヤレスデバイスが構成される。上記ワイヤレスデバイスは、シグナリングネットワークノードから、無線ネットワークへアクセスするための予め定義されるアクセスパラメータ構成の圧縮済みセット内に含まれるアクセスパラメータ構成に関連付けられる同期信号を受信するように動作可能であり、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に異なる複数の同期信号が関連付けられる。上記予め定義されるマッピングは、上記異なる複数の同期信号のレンジが予め定義されるアクセスパラメータ構成の圧縮済みセット内のあるアクセスパラメータへ共同的にマッピングされるようになされる。
【００１９】
上記ワイヤレスデバイスは、さらに、受信される同期信号及び予め定義されるマッピングに基づいて、予め定義されるアクセスパラメータ構成の圧縮済みセットから上記アクセスパラメータ構成を導出し、及び導出されるそのアクセスパラメータ構成に従って、無線ネットワークへアクセスする、ように動作可能である。
【００２０】
別の観点によれば、シグナリングネットワークノードが無線カバレッジを提供するエリア内の無線ネットワークへアクセスする少なくとも１つのワイヤレスデバイスの動作を制御するための方法が、上記無線ネットワークのブロードキャストネットワークノードにより実行される。この方法において、ブロードキャストネットワークノードは、予め定義されるアクセスパラメータ構成の圧縮済みセットをブロードキャストする。異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、異なる複数の同期信号が関連付けられる。上記予め定義されるマッピングは、上記複数の同期信号のレンジが予め定義されるアクセスパラメータ構成の圧縮済みセット内のあるアクセスパラメータへ共同的にマッピングされるようになされる。
【００２１】
別の観点によれば、シグナリングネットワークノードが無線カバレッジを提供するエリア内の無線ネットワークへアクセスする少なくとも１つのワイヤレスデバイスの動作を制御するように、ブロードキャストネットワークノードが構成される。上記ブロードキャストネットワークノードは、予め定義されるアクセスパラメータ構成の圧縮済みセットをブロードキャストするように動作可能である。異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、異なる複数の同期信号が関連付けられる。上記予め定義されるマッピングは、上記複数の同期信号のレンジが予め定義されるアクセスパラメータ構成の圧縮済みセット内のあるアクセスパラメータへ共同的にマッピングされるようになされる。
【００２２】
上記シグナリング及びブロードキャストネットワークノード、ワイヤレスデバイス、並びにそれらにおける方法は、以下に説明されるであろうさらなる特徴及び利点を達成するように、様々な随意的な実施形態に従って構成され及び実装されてよい。
【図面の簡単な説明】
【００２３】
これより、例示的な実施形態の手段で、添付図面を参照しながら、解決策がより詳細に説明されるであろう。添付図面は次の通りである：
【００２４】
【図１】大規模な無線カバレッジを提供するネットワークノードからシステム情報がブロードキャストされ、及び、ワイヤレスデバイスがより小規模な無線カバレッジを提供するネットワークノードとデータを通信するような、従来技術に係る通信シナリオを示している。
【図２】本解決策において使用され得る共通の手続に従って、アクセス情報がいかにして無線ネットワークからワイヤレスデバイスへ提供され得るかを示す図である。
【図３】いくつかのあり得る実施形態に係る、本解決策が用いられる際のシグナリング及びブロードキャストネットワークノード並びにワイヤレスデバイスに関係する手続の一例を示すシグナリング図である。
【図４Ａ】さらなるあり得る実施形態に係る、ブロードキャストネットワークノードにおける手続を示すフローチャートである。
【図４Ｂ】図４Ｂは、さらなるあり得る実施形態に係る、シグナリングネットワークノードにおける手続を示すフローチャートである。図４Ｃは、さらなるあり得る実施形態に係る、ワイヤレスデバイスにおける手続を示すフローチャートである。
【図５Ａ】さらなるあり得る実施形態に係る、テーブルの手段による同期信号と関連付けられるアクセスパラメータ構成との間の予め定義されるマッピングの一例を示している。
【図５Ｂ】さらなるあり得る実施形態に係る、関数の手段による同期信号と関連付けられるアクセスパラメータ構成との間の予め定義されるマッピングの一例を示している。
【図６Ａ】さらなるあり得る実施形態に係る、テーブルの手段による同期信号と関連付けられるアクセスパラメータ構成との間の予め定義されるマッピングの別の例を示している。
【図６Ｂ】さらなるあり得る実施形態に係る、関数の手段による同期信号と関連付けられるアクセスパラメータ構成との間の予め定義されるマッピングの別の例を示している。
【図７】さらなるあり得る実施形態に係る、一例としてＳＳＩと呼ばれる異なる同期信号を異なるセクタ又はアンテナビームにわたって１つのシグナリングネットワークノードが送信することを示す通信シナリオである。
【図８】さらなるあり得る実施形態に係る、一例としてＳＳＩと呼ばれる異なる同期信号を異なるエリアにわたって３つのシグナリングネットワークノードが送信することを示す別の通信シナリオである。
【図９】さらなるあり得る実施形態に係る、シグナリング及びブロードキャストネットワークノード並びにワイヤレスデバイスをより詳細に示すブロック図である。
【発明を実施するための形態】
【００２５】
簡潔に説明すると、無線ネットワークにおいてブロードキャストされるアクセス情報の量を減らすため、さらにネットワークへアクセスするための手続においてワイヤレスデバイスにより使用されることになる異なるエリアにおける異なるアクセスパラメータの設定を柔軟に及び動的に使用することを可能にするための解決策が提供される。これは、異なるエリア内のワイヤレスデバイスへ異なる同期信号をシグナリングすることにより達成され得るものであり、それら同期信号は、相異なる予め定義されるアクセスパラメータ構成に関連付けられ、アクセスパラメータ構成は、同期信号と予め定義されるアクセスパラメータ構成の圧縮済みセットとの間の予め定義されるマッピングに従って、ワイヤレスデバイスにより導出されることができる。各予め定義されるアクセスパラメータ構成は、異なるアクセスパラメータの値の設定を含む。
【００２６】
本解決策において、異なる複数の同期信号のレンジを予め定義されるアクセスパラメータ構成の圧縮済みセット内のあるアクセスパラメータへ共同的にマッピングすることにより、予め定義されるアクセスパラメータ構成のセットが圧縮されるような、予め定義されるマッピングが行われる。厳密に言えば、ここで議論される複数の異なる同期信号は、一レンジ分の相異なる同期信号として理解されてよい同期信号のグループを形成し、ついでに言うと、そのグループの範囲内の１つの同期信号から別の同期信号まで、同期信号の何らかの特性又はアイデンティティが一レンジ内で変化し、あるいは、そのグループ内の各同期信号が一レンジ分の相異なるインデックス内のそれぞれのインデックスを割り当てられて、それにより相異なる同期信号インデックスのレンジが相異なる同期信号のグループを表現するようになる。以下では、相異なる同期信号のグループが、異なる同期信号のレンジと称されるであろう。
【００２７】
異なる同期信号のレンジは、予め定義されるアクセスパラメータ構成の圧縮済みセット内の１つの、１つより多くの、又は多様な、アクセスパラメータへ共同的にマッピングされ得る。また、予め定義されるアクセスパラメータ構成の圧縮済みセット内の１つの、１つより多くの、又は多様な、アクセスパラメータへ共同的にマッピングされる異なる同期信号の１つのレンジ、１つより多くのレンジ、又は多様なレンジが存在してもよい。それにより、予め定義されるアクセスパラメータ構成の圧縮済みセットに含まれる情報の量は、圧縮しない予め定義されるアクセスパラメータ構成のセットを有すること、即ち異なる同期信号がアクセスパラメータ構成へ個別にマッピングされる場合、と比べて少なくなるであろう。予め定義されるアクセスパラメータ構成の圧縮済みセットを用いることの利点は、ネットワークによりブロードキャストされ又はワイヤレスデバイスにおいて予め構成される必要のある情報量がより少ないということを含む。このマッピングがいかにして行われ得るかのいくつかの例を後ほど以下で説明する。
【００２８】
このように、相対的に少ない量の無線リソースしか要しない形で相異なる同期信号をシグナリングすることにより、効率的なやり方で、並びに異なるエリアにおいて動的な基準で（例えばトラフィック量及びアクティブなワイヤレスデバイスの数といった素早く変化し得る現行のトラフィック状況に依存して）、異なる予め定義されるアクセスパラメータ構成を実装し又は“実施”することができる。その解決策が、図１に示されるノード１００及び１０２のうちいずれかであり得るシグナリングネットワークノードにおける機能性の観点で説明されるであろう。
【００２９】
さらに、無線ネットワークは、例えば１つ以上のセル、セクタ、又はアンテナビームにより定義される複数の異なるエリアをまたいで、例えばアクセス情報テーブル（ＡＩＴ）の形式で、予め定義されるアクセスパラメータ構成の圧縮済みセットを含む同一のアクセス情報をブロードキャストすることができる。本開示において、ブロードキャストされるＡＩＴは、ここで説明される予め定義されるアクセスパラメータ構成の圧縮済みセットを含むものとする。代替的に又は追加的に、予め定義されるアクセスパラメータ構成の圧縮済みセットは、ワイヤレスデバイスにおいて予め構成されていてもよい。また、予め定義されるマッピングは、ワイヤレスデバイスにおいて予め構成されていてもよく、一方で、例えば予め定義されるマッピングの更新が必要なケースにおいては、予め定義されるマッピングがブロードキャストされることもまたあり得る。例えばシステムシグネチャインデックス（ＳＳＩ）シーケンスの形式で異なるエリアにおいて異なる同期信号を送信することにより、いかなるワイヤレスデバイスもそのワイヤレスデバイスがどのエリアに位置しているかに依存して、ネットワークへアクセスするために使用されるべき現行の有効なアクセスパラメータを導出するために、受信される同期信号を使用することができる。ＳＳＩは、具体的な同期信号又はＳＳＩシーケンスを表現し又は指し示すために使用され得るインデックスである。
【００３０】
このように、異なるアクセス関連パラメータのセット（即ちアクセスパラメータ構成）を、ネットワークの異なるエリアにおいて、どの同期信号がシグナリングされるかに依存する柔軟なやり方で実装することができる。そういったアクセスパラメータ構成内のアクセスパラメータのいくつかの例示的ではあるが限定的でない例は、周波数、同期、時間ウィンドウ、ＰＲＡＣＨプリアンブルシーケンス、電力レベル、バックオフタイマ、電力増加ステップ、バックオフ前のＰＲＡＣＨ試行の最大回数、アクセス制限、及びサービスクラス又はユーザタイプに関連するプライオリティ情報、に関連し得る。アクセスパラメータのこれらの例は、上で言及され及び説明されている。
【００３１】
図２は、無線ネットワークにより上述のアクセス情報及び同期信号がそれぞれいかにしてブロードキャストされ及びシグナリングされ得るかを概略的に示している。この例において、予め定義されるアクセスパラメータ構成の圧縮済みセットを含むアクセス情報は、経時的にある周期性をもってＡＩＴでブロードキャストされ、同期信号は、ＡＩＴの周期性よりも短いものであり得る別の周期性をもってＳＳＩでシグナリングされる。技術的には、ＡＩＴ及びＳＳＩの時間の分離を要するわけではなく、それらは、周波数において同様に分離され、又は時間／周波数／コードの組み合わせにより分離されてもよい。ＡＩＴの周期性は、場合によってはＳＳＩについてのものと同じであってもよく、例えば、ネットワークが１つの送信側ネットワークノードしか含まない場合、ＡＩＴ及びＳＳＩをまとめて同時に送信することが望ましいかもしれない。
【００３２】
例えば図１に示されるようなエリアＣ１にわたるマクロノード１００といったネットワークノードによって、相対的に大規模なエリアにわたってＡＩＴがブロードキャストされ、例えば図１に示されるようなエリアＣ２にわたるネットワークノード１０２といった“スモーラ（smaller）”な異なるネットワークノードによって、相対的に大規模なエリアの範囲内のより小規模な異なるエリアにおいて異なるＳＳＩが送信され得る。代替的に、異なる複数のＳＳＩが、複数のセクタに又は複数のアンテナビームにわたるなど、相異なる方向に、例えば同一のネットワークノードによって送信されてもよい。
【００３３】
いったんワイヤレスデバイスが個別のエリアにおいてＳＳＩといった同期信号を受信すると、ワイヤレスデバイスは、ワイヤレスデバイスによって前もって知得される予め定義されるマッピングに従って、関連付けられるアクセスパラメータ構成を予め定義されるアクセスパラメータ構成の圧縮済みセットから導出することができるであろう。そして、このアクセスパラメータ構成及びそのパラメータ設定が、無線ネットワークへアクセスするためにワイヤレスデバイスにより使用され得る。予め定義されるマッピングは、例えばブロードキャストされる情報において受信され、又はワイヤレスデバイスにおいて別途構成された後、ワイヤレスデバイスによって知得されてもよい。
【００３４】
図２は、ＡＩＴのブロードキャスト及びＳＳＩの送信が時間において分離され、ワイヤレスデバイスがＡＩＴを受信する前に現行の有効なＳＳＩを受信し得るように、ブロードキャストされるＡＩＴよりもかなり短い周期性を持ってＳＳＩが送信されることをさらに説明している。また、ＳＳＩがマクロノード及び“スモール（small）”ノードの双方により送信され得ることが図示されている。ＡＩＴがマクロノード及びスモーラ（smaller）ノードの双方により同様に送信されてもよい。ＳＳＩ、又はより広く同期信号は、実質的には、正確で有効なアクセスパラメータをブロードキャストされるアクセス情報（例えばＡＩＴ）から導出するための“鍵”である。例えばアクセス情報を含む任意のシステム情報は、例えばＰＢＣＨ（Physical  Broadcast  Channel）上で所謂ＳＦＮ（Single  Frequency  Network）の伝送フォーマットでブロードキャストされることが望ましいかもしれず、それは、同一の情報が大規模なエリアにわたってブロードキャストされることを意味する。その場合、その情報の様々な部分を、同期信号の手段により動的な基準で異なるエリアにおいて実装することができる。
【００３５】
図３は、無線ネットワークのシグナリング及びブロードキャストネットワークノード（それぞれ３００及び３０４）並びにネットワークノード３００が無線カバレッジを提供するエリア内に存在するワイヤレスデバイス３０２に関係して、本解決策がいかにして用いられ得るかを示す簡略化されたシグナリング図である。この例において、ネットワークノード３００は、基地局又は類似のものとして示されるが、本解決策は、それらに限定されない。第１のアクション３：１は、ワイヤレスデバイス３０２が受信し及び保存し得る予め定義されるアクセスパラメータ構成の圧縮済みセットを、ブロードキャストネットワークノード３０４がブロードキャストすることを示しており、それにより、予め定義されるアクセスパラメータ構成の圧縮済みセットがワイヤレスデバイス３０２にとって既知であると見なし得るようになる。さらに想定されることとして、上述の予め定義されるマッピングは、いくつか例を挙げると、例えば予め構成されること、又はブロードキャストネットワークノード３０４からのブロードキャストにおいて取得されることによっても、ワイヤレスデバイス３０２にとって既知とされる。さらなるアクション３：２において、シグナリングネットワークノード３００は、基本的に、適切なアクセスパラメータ構成を取得する。取得されるアクセスパラメータ構成は、予め定義されるアクセスパラメータ構成の圧縮済みセットに含まれるアクセスパラメータ構成のうちの１つである。
【００３６】
このアクセスパラメータ構成は、現行のトラフィック状況に依存して選択されていてもよく、よって、任意の進行中のデータ通信、無線カバレッジエリア内に存在するワイヤレスデバイスの数、ランダムアクセス送信信号の数、及び生成される干渉の量など、を含み得るトラフィック状況に適合するやり方で、無線ネットワークへアクセスするためにワイヤレスデバイス３０２により使用されることになる。さらに、適切なアクセスパラメータ構成の選択は、シグナリングネットワークノード３００自身によって又はネットワーク内の別のノードによってなされてもよく、後者のケースでは、その別のノードは、選択されるアクセスパラメータ構成をシグナリングネットワークノード３００へ提供し又は指し示す。いくつかの実施形態において、その別のノードは、ブロードキャストネットワークノード３０４であってもよく、一方で、他の実施形態においては、無線ネットワーク内のオペレーション及びメンテナンスノードであってもよい。
【００３７】
アクション３：２において、シグナリングネットワークノード３００は、また、上記予め定義されるマッピングに従って、取得されるアクセスパラメータ構成に関連付けられる同期信号を取得する。同期信号は、ネットワーク内の別のノード（例えばブロードキャストネットワークノード３０４又は無線ネットワーク内のオペレーション及びメンテナンスノード）によってシグナリングネットワークノード３００に提供されることにより取得されてもよい。代替的に、同期信号は、シグナリングネットワークノード３００により予め定義されるマッピングから判定されることにより取得されてもよい。その場合、シグナリングネットワークノード３００は、ブロードキャストネットワークノード３０４又はオペレーション及びメンテナンスノードといったネットワーク内の別のノードから、例えばバックホールインタフェースを介して、予め定義されるマッピングを受信済みであってもよい。さらに、シグナリングネットワークノード３００は、ブロードキャストネットワークノード３０４又はオペレーション及びメンテナンスノードといったネットワーク内の別のノードから、例えばバックホールインタフェースを介して、予め定義されるアクセスパラメータ構成の圧縮済みセットを受信済みであってもよい。同期信号がネットワーク内の別のノードによってシグナリングネットワークノード３００へ提供されることにより取得される実施形態において、シグナリングネットワークノードは、その場合、一例として、提供される同期信号に基づき及び予め定義されるマッピングを使用して、アクセスパラメータ構成を、予め定義されるアクセスパラメータ構成の圧縮済みセットから導出することにより取得し得る。
【００３８】
次のアクション３：３において、シグナリングネットワークノード３００は、取得される同期信号をワイヤレスデバイス３０２へシグナリングし、その同期信号は、同期信号と予め定義されるアクセスパラメータ構成の上記圧縮済みセット内のアクセスパラメータ構成との間の予め定義されるマッピングに従って、取得されるアクセスパラメータ構成に関連付けられる。よって、“予め定義されるマッピング”との用語は、上述したようにそのマッピングがワイヤレスデバイスにとって既知であることを示唆する。同期信号を受信済みであって、予め定義されるマッピング及び予め定義されるアクセスパラメータ構成の圧縮済みセットが既知であれば、ワイヤレスデバイス３０２は、別のアクション３：４において、受信される同期信号に基づいて関連付けられるアクセスパラメータ構成を導出することができる。また、この例は、最後のアクション３：５において、ワイヤレスデバイス３０２が導出されるアクセスパラメータ構成に従って例えばシグナリングネットワークノード３００と通信することにより最終的に無線ネットワークへアクセスすることを示している。
【００３９】
ブロードキャストネットワークノードにより実行されるアクションという観点で本解決策がいかにして採用され得るかの例を、図４Ａにおけるフローチャートを参照しながらここで説明する。図４Ａは、上記ブロードキャストネットワークノード３０４といったブロードキャストネットワークノードがいかにして動作して上述の機能を達成し得るかを示している。この文脈において、“ブロードキャストネットワークノード”は、無線信号を送信し及び受信するように動作する、図３の例において示されるような基地局又は同等のものであってよい。但し、それは、ネットワーク管理ノード、ＲＮＣ（Radio  Network  Controller）、又はＯ＆Ｍ（Operation  &  Maintenance）ノードのようなネットワーク内の制御ノードであってもよく、その制御ノードは、ワイヤレスデバイスとの間で無線信号を通信するように１つ以上の基地局を制御し及びそのようにそれら基地局へ命令する、ように動作する。
【００４０】
ブロードキャストネットワークノードは、シグナリングネットワークノードがセル、セクタ、又はアンテナビーム、といった無線カバレッジを提供するエリアにおける無線ネットワークへアクセスする、上記ワイヤレスデバイス３０２といった少なくとも１つのワイヤレスデバイスの動作を制御する、ように構成される。アクション４００は、ブロードキャストネットワークノードが予め定義されるアクセスパラメータ構成の圧縮済みセットをブロードキャストすることを示しており、複数の同期信号のレンジが予め定義されるアクセスパラメータ構成の圧縮済みセット内のあるアクセスパラメータへ共同的にマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、上記異なる複数の同期信号が関連付けられる。
【００４１】
シグナリングネットワークノードにより実行されるアクションという観点で本解決策がいかにして採用され得るかの例を、図４Ｂにおけるフローチャートを参照しながらここで説明する。図４Ｂは、上記シグナリングネットワークノード３００といったシグナリングネットワークノードがいかにして動作して上述の機能を達成し得るかを示している。アクションは、任意の適切な順序で実行され得る。例えば、アクション４０２がアクション４０１の前に実行されてもよく、それにより、シグナリングネットワークノードは、まず同期信号を取得し、次いで、予め定義されるマッピングに従って、取得される同期信号に関連付けられるアクセスパラメータ構成を取得する。
【００４２】
シグナリングネットワークノードは、上記シグナリングネットワークノード３００といったシグナリングネットワークノードがセル、セクタ、又はアンテナビーム、といった無線カバレッジを提供するエリアにおける無線ネットワークへアクセスする、上記ワイヤレスデバイス３０２といった少なくとも１つのワイヤレスデバイスの動作を制御する、ように構成される。この文脈において、“シグナリングネットワークノード”は、無線信号を送信し及び受信するように動作する、図３の例において示されるような基地局又は同等のものであってよい。但し、それは、ネットワーク管理ノード、ＲＮＣ（Radio  Network  Controller）、又はＯ＆Ｍ（Operation  &  Maintenance）ノードのようなネットワーク内の制御ノードであってもよく、その制御ノードは、ワイヤレスデバイスとの間で無線信号を通信するように１つ以上の基地局を制御し及びそのようにそれら基地局へ命令する、ように動作する。いくつかの実施形態において、シグナリングネットワークノードは、ブロードキャストネットワークノードでもある。他の実施形態において、シグナリング及びブロードキャストネットワークノードは、別々のノードである。
【００４３】
最初のアクション４０１は、無線ネットワークへアクセスするために少なくとも１つのワイヤレスデバイスにより使用されるべきアクセスパラメータ構成をシグナリングネットワークノードが取得することを示している。上述したように、取得されるアクセスパラメータ構成は、少なくとも１つのワイヤレスデバイスにとって既知である予め定義されるアクセスパラメータ構成の圧縮済みセット内のいくつかの異なるアクセスパラメータ構成のうちの１つであり、異なる複数の同期信号のレンジが予め定義されるアクセスパラメータ構成の圧縮済みセット内のあるアクセスパラメータへまとめてマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に上記異なる複数の同期信号が関連付けられる。あり得る実施形態において、取得されるアクセスパラメータ構成は、例えば上述されるやり方でエリア内の現行のトラフィック状況に依存して選択されていてもよい。さらに、上述したように、アクセスパラメータ構成は、シグナリングネットワークノード自身によって選択されていてもよく、又は実装に依存してネットワーク内の別のノードによって選択されていてもよい。
【００４４】
次のアクション４０２において、シグナリングネットワークノードは、予め定義されるマッピングに従って、アクセスパラメータ構成に関連付けられる同期信号を取得する。同期信号とアクセスパラメータ構成との間のこのマッピングがいかにして実現され得るかのいくつかの例を、図５Ａ、５Ｂ、及び図６Ａ、６Ｂを参照しながら後に以下で説明する。
【００４５】
１つのあり得る実施形態において、予め定義されるマッピングは、異なる複数の同期信号のレンジがアクセスパラメータの１つの値又はサブテーブルのいずれかへマッピングされるような、異なる複数の同期信号を異なる複数のアクセスパラメータ構成のうちの対応するものへマッピングするテーブル、を含んでもよく、そのサブテーブルでは、異なる複数の同期信号のレンジに含まれる同期信号がアクセスパラメータのそれぞれの値へマッピングされる。例えばテーブルは、異なる同期信号インデックス、及び同期信号インデックスにより表現される同期信号に関連付けられるアクセスパラメータ構成、についてのエントリを含み得る。それにより同期信号は、そういったエントリを介して、関連付けられるアクセスパラメータ構成内の特定のアクセスパラメータのセットへマピングされ得る。また、この実施形態において、例えば異なる同期信号インデックスのレンジにより表現される異なる同期信号のレンジという形式で、１つより多くの同期信号を同一のアクセスパラメータ構成にマッピングすることが可能である。
【００４６】
別の代替的な又は追加的な実施形態において、予め定義されるマッピングは、異なる同期信号のレンジ内の各同期信号について、予め定義されるアクセスパラメータ構成の圧縮済みセット内のアクセスパラメータのそれぞれの値を判定するための、異なる複数の同期信号のレンジの関数、を含んでもよい。その関数は、異なる同期信号のレンジ内の各同期信号について、予め定義されるアクセスパラメータ構成の圧縮済みセット内のそれぞれの関連付けられるアクセスパラメータ構成についてのアクセスパラメータのそれぞれの値を判定するために、異なる同期信号のレンジ内の同期信号を表現する同期信号インデックスを、入力又は引数として用いてもよい。このケースにおいて、各アクセスパラメータ“ＡＰ”が同期信号を表現する同期信号インデックス（例えばＳＳＩ）を入力として用いる関数“ｆ”を計算することにより（即ち、基本的にＡＰ＝ｆ（ＳＳＩ）というやり方で）導出され得るような、１つ以上の具体的なアクセスパラメータの各々について具体的に定義される関数が存在し得る。関数を用いるこの後者の実施形態において、例えば異なる同期信号インデックスのレンジにより表現される異なる同期信号のレンジという形式で、アクセスパラメータ構成内のあるアクセスパラメータのそれぞれの値を導出するための単一の関数へいくつかの同期信号をマッピングすることが可能である。
【００４７】
次のアクション４０４において、シグナリングネットワークノードは、取得される同期信号を少なくとも１つのワイヤレスデバイスへシグナリングする。あり得る実施形態において、シグナリングネットワークノードは、取得される同期信号を少なくとも１つのワイヤレスデバイスへブロードキャストにより又は専用シグナリングによりシグナリングし得る。それにより、少なくとも１つのワイヤレスデバイスは、シグナリングされる同期信号及び上記予め定義されるマッピングに基づいて、予め定義されるアクセスパラメータ構成の圧縮済みセットからアクセスパラメータ構成を（即ちアクション４０１において取得されるものを）導出することが可能となる。次いで、このアクセスパラメータ構成は、エリア内の無線ネットワークへアクセスするために、ワイヤレスデバイスにより使用され得る。
【００４８】
このようにして、エリア内に位置するワイヤレスデバイスへ具体的に適切なアクセスパラメータ構成に関連付けられる同期信号を簡易にシグナリングすることにより、そのエリアにおいてそのアクセスパラメータ構成を実装することが可能である。同期信号をシグナリングすることで、アクセスパラメータ構成全体をシグナリングすることと比較して要する無線リソースがかなり少なくなり、よって生成される干渉がより少なくなるということは、利点である。例えばシグナリングに要する無線リソースの量が低減されることにより、エリア内の性能が概して向上し及び／又は最適化され得るように、そのエリア内の現行のトラフィック状況に適応され又は最適化さえもされるアクセスパラメータ構成を選択することが可能となり得る。別の利点は、予め定義されるアクセスパラメータ構成の圧縮済みセットが、同一の情報が非圧縮である場合よりも小さいサイズであり、よってネットワークによりブロードキャストされる際に要する無線リソースがより少なく、並びにワイヤレスデバイス内及び／又はネットワークノード内に記憶される際に要するスペースがより少なくなる、ということである。いくつかのさらなるあり得る実施形態を以下で概説する。
【００４９】
別のあり得る実施形態において、異なるエリア、セクタ又はアンテナビームにおいて異なる同期信号がシグナリングされて、当該異なるエリア、セクタ又はアンテナビーム内で対応する関連付けられるアクセスパラメータ構成が実装されてもよい。それにより、異なるエリア、セクタ又はアンテナビームにおいて個別に及び局所的にアクセス手続を適応させ又は最適化することができ、それは、例えば無線リソースの利用及び干渉の観点で無線ネットワークにおける全体的な性能を向上させ得る。例えば、あるトラフィック状況においてワイヤレスデバイスにより使用されるアクセスパラメータ構成がそのトラフィック状況に適応し及び適しているとき、アクセス手続におけるいかなるメッセージの通信もより信頼性が高く、成功しやすいものとなるであろう。さらに、２つ以上のワイヤレスデバイスにより偶然同時に送信されるランダムアクセスメッセージ間のいかなる衝突も回避され得るし、又は少なくともそういった衝突の回数が低減され、それによりアクセス手続が失敗する際に行われる必要のある再送信の回数も低減され得る。
【００５０】
１つのさらなる実施形態において、シグナリングネットワークノードは、シグナリングされる同期信号の手段により、少なくとも１つのワイヤレスデバイスが存在するエリア、セクタ又はアンテナビーム内で実装される取得されるアクセスパラメータ構成に基づいて、当該エリア、セクタ又はアンテナビーム内で少なくとも１つのワイヤレスデバイスからのランダムアクセスメッセージについて監視してもよい。この実施形態の潜在的な利点は、シグナリングネットワークノードが、エリア、セクタ又はアンテナビームにおいて送信される任意のランダムアクセスメッセージを、他の隣接するエリア、セクタ又はアンテナビームにおいて送信されるメッセージと、より容易に区別することが可能となり得ることである。
【００５１】
別のあり得る実施形態において、予め定義されるアクセスパラメータ構成の圧縮済みセット及び予め定義されるマッピングが、少なくとも１つのワイヤレスデバイスにおいて、例えばデバイスの製造において又は無線ネットワークへの初期接続におけるシグナリングにより、予め構成済みとされてもよい。代替的に又は追加的に、予め定義されるアクセスパラメータ構成の圧縮済みセットは、エリアにわたってブロードキャストされてもよい。シグナリングされる同期信号は、いくつかの実施形態において物理チャネルの特性に関連付けられ得る。これらのチャネル特性は、物理チャネルフォーマット、スクランブリングコード、及びＣＲＣ（Cyclic  Redundancy  Check）コード、のうちの少なくとも１つを含み得る。それにより、ワイヤレスデバイスは、シグナリングされる同期信号に基づいてチャネル特性を識別することにより、並びにブロードキャストされる予め定義されるアクセスパラメータ構成の圧縮済みセットを受信し及び復号するためにこれらチャネル特性を使用することにより、ブロードキャストされる予め定義されるアクセスパラメータ構成の圧縮済みセットをより容易に受信し及び復号することができるであろう。
【００５２】
ワイヤレスデバイスにより実行されるアクションという観点で本解決策がいかにして採用され得るかの例を、図４Ｃにおけるフローチャートを参照しながらここで説明する。図４Ｃは、上記ワイヤレスデバイス３０２といったワイヤレスデバイスがいかにして動作して上述の機能を達成し得るかを示している。
【００５３】
ワイヤレスデバイスは、シグナリングネットワークノード３００といったシグナリングネットワークノードが無線カバレッジを提供するエリア内で、無線ネットワークへアクセスするために構成される。図４Ｃにおいて示される手続は、アクション４０４からの破線矢印により指し示されるように、シグナリングネットワークノードが図４Ｂにおいて示される上述の手続を実行した後に実行され得る。よって次のアクション４０６において、ワイヤレスデバイスは、シグナリングネットワークノードから、無線ネットワークへアクセスするための予め定義されるアクセスパラメータ構成の圧縮済みセット内に含まれるアクセスパラメータ構成に関連付けられる同期信号を受信し、よってその同期信号は、前述のアクション４０４において送信されたものである。上述したように、異なる複数の同期信号のレンジが予め定義されるアクセスパラメータ構成の圧縮済みセット内のあるアクセスパラメータへ共同的にマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に上記異なる複数の同期信号が関連付けられる。よって“予め定義されるマッピング”との用語は、マッピングがワイヤレスデバイスにとって既知であることを示唆する。
【００５４】
次のアクション４０８において、ワイヤレスデバイスは、受信される同期信号及び予め定義されるマッピングに基づいて、予め定義されるアクセスパラメータ構成の圧縮済みセットからアクセスパラメータ構成を導出する。最後のアクション４１０は、何らかの時点でワイヤレスデバイスが導出されるアクセスパラメータ構成に従って無線ネットワークへアクセスすることを示す。
【００５５】
上述の実施形態のうちの少なくともいくつかが、この手続においてワイヤレスデバイスによって同様に使用されてよい。よって、１つのあり得る実施形態において、予め定義されるマッピングは、異なる複数の同期信号の上記レンジがアクセスパラメータの１つの値へ又はサブテーブルへマッピングされるような、異なる複数の同期信号を異なる複数のアクセスパラメータ構成のうちの対応するものへマッピングするテーブル、を含んでもよく、そのサブテーブルにおいて、異なる複数の同期信号の上記レンジに含まれる同期信号がアクセスパラメータのそれぞれの値へマッピングされる。別のあり得る実施形態において、予め定義されるマッピングは、異なる同期信号の上記レンジ内の各同期信号について、予め定義されるアクセスパラメータ構成の圧縮済みセット内のアクセスパラメータのそれぞれの値を判定するための、異なる複数の同期信号のレンジの関数、を含んでもよい。
【００５６】
いくつかの実施形態において、ワイヤレスデバイスは、予め定義されるアクセスパラメータ構成の圧縮済みセット及び予め定義されるマッピングと共に予め構成されていてもよい。代替的に又は追加的に、ワイヤレスデバイスは、ブロードキャストネットワークノードからのブロードキャストにおいて予め定義されるアクセスパラメータ構成の圧縮済みセットを受信してもよい。そのケースにおいて、シグナリングされる同期信号は、物理チャネルの特性に関連付けられてもよく、その特性は、物理チャネルフォーマット、スクランブリングコード、及びＣＲＣ（Cyclic  Redundancy  Check）コード、のうちの少なくとも１つを含む。さらにワイヤレスデバイスは、シグナリングネットワークノードからのブロードキャスト又は専用シグナリングにおいて同期信号を受信してもよい。
【００５７】
上で言及したように、予め定義されるマッピングは、異なる複数の同期信号を異なる複数のアクセスパラメータ構成のうちの対応する関連付けられるものへマッピングするテーブルを含み得る。そういったテーブルの一部がいかにして構成され得るかの例が、図５Ａに示されており、図中で、同期信号は、ＳＳＩｘ（ｘ＝１、…、１１、１２、１３、…）で表記される同期信号インデックスにより表現され、及びアクセスパラメータは、ＡＰｎ（ｎ＝１、２、…）で表記されている。各同期信号インデックスＳＳＩｘは、アクセスパラメータＡＰ１、ＡＰ２…のセットへマッピングされる。この例において同期信号インデックスＳＳＩ１１は、アクセスパラメータの値ＡＰ１１１、ＡＰ２１１…のセットへマッピングされ、同期信号ＳＳＩ１２は、アクセスパラメータの値ＡＰ１１２、ＡＰ２１２…のセットへマッピングされ、同期信号ＳＳＩ１３は、アクセスパラメータの値ＡＰ１１３、ＡＰ２１３…のセットへマッピングされる、などとなる。この例における同期信号は、それぞれの同期信号インデックスを介して非圧縮のやり方でアクセスパラメータの値へマッピングされ、そのマッピングは、１つの及び同一のアクセスパラメータの値への又はアクセスパラメータの値のサブテーブルへの同期信号のレンジの上述した圧縮済みマッピングに加えてテーブル内に含められてもよい。サブテーブルは、ワイヤレスデバイスへシグナリングされてもよく、又はワイヤレスデバイスにおいて予め構成されていてもよい。
【００５８】
さらに上で言及したように、予め定義されるマッピングは、異なる複数の同期信号のレンジ内の各同期信号について、予め定義されるアクセスパラメータ構成の圧縮済みセット内のそれぞれの関連付けられるアクセスパラメータ構成についてのアクセスパラメータのそれぞれの値を判定するための、異なる複数の同期信号のレンジの関数、を含んでもよく、異なる同期信号のレンジ内の同期信号を表現する同期信号インデックスは、予め定義されるアクセスパラメータ構成の圧縮済みセット内のそれぞれの関連付けられるアクセスパラメータ構成についてのアクセスパラメータのそれぞれの値を判定するための関数への入力又は引数として用いられてもよい。そういったマッピングがいかにして実現され得るかの例が図５Ｂに示されており、図中で、異なる同期信号のレンジ内の同期信号はＳＳＩｘで表記される同期信号インデックスにより表現され、異なる同期信号は下付き文字ｘの異なる値により区別され、及び関数は、ｆｎ（ｎ＝１、２、３…）で表記されている。よって、例となる同期信号ＳＳＩｘについて、第１のアクセスパラメータＡＰ１をｆ１（ＳＳＩｘ）として計算することができ、第２のアクセスパラメータＡＰ２をｆ２（ＳＳＩｘ）として計算することができ、第３のアクセスパラメータＡＰ３をｆ３（ＳＳＩｘ）として計算することができる、などとなる。よってこの例において異なる同期信号を入力とする具体的なアクセスパラメータの異なる値を判定するための１つの及び同一の関数を使用することにより圧縮が達成される。このケースにおいて、ワイヤレスデバイスが受信される同期信号に対応する同期インデックスを関数への入力として使用することによりアクセスパラメータの値を判定できるようにするためには、関数をブロードキャストし又は予め構成することで十分である。
【００５９】
異なる同期信号を異なるアクセスパラメータ構成へマッピングするためのテーブルをいかにして構成し得るかの別の例が図６Ａに示されており、図中で、同期信号は、ＳＳＩｘ（ｘ＝１、…、１６、１７、１８、…）で表記される同期信号インデックスにより表現され、アクセスパラメータは、ＡＰｎ（ｎ＝１、２、…）で表記されている。この例は、個別の同期信号インデックスＳＳＩ１６〜ＳＳＩ１８を第１のアクセスパラメータＡＰ１のそれぞれの値ＡＰ１１６〜ＡＰ１１８へマッピングするためのサブテーブルへのポインタを含み、一方で全ての同期信号ＳＳＩ１６〜ＳＳＩ１８が別の第２のアクセスパラメータＡＰ２の１つの及び同一の値ＡＰ２１６〜１８へマッピングされる、テーブルの単一のエントリにおける異なるアクセスパラメータへ、同期信号インデックスＳＳＩ１６〜ＳＳＩ１８により表現される同期信号のレンジがいかにしてマッピングされ得るかを示している。
【００６０】
同期信号の関数がアクセスパラメータを判定するためにいかにして使用され得るかの別の例が図６Ｂに示されており、図中で、同期信号インデックスＳＳＩ１６〜ＳＳＩ１８のレンジの各々は、ＡＰ１ｘ＝ｆ１（ＳＳＩｘ）（ＳＳＩｘは、ＳＳＩ１６〜ＳＳＩ１８のうちのいずれかであり、ＡＰ１ｘは、第１のアクセスパラメータＡＰ１のそれらのそれぞれの値ＡＰ１１６〜ＡＰ１１８）であるような、第１のアクセスパラメータＡＰ１の値を判定するための同一の関数ｆ１への入力として使用され得る。この例において、別の第２のアクセスパラメータＡＰ２の値は、同期信号のレンジ内の同期信号インデックスＳＳＩ１６〜ＳＳＩ１８に対応する同期信号についてＡＰ２１６〜１８である。
【００６１】
また、上で言及したように、異なるエリア、セクタ又はアンテナビーム内の任意のワイヤレスデバイスがそのエリアにおいてランダムアクセスを実行するための対応するアクセス関連パラメータを導出できるように、異なるエリア、セクタ又はアンテナビームにおいて異なる同期信号がシグナリングされて、当該エリア、セクタ又はアンテナビーム内で対応する関連付けられるアクセスパラメータ構成が実装されてもよい。この実施形態の２つの例が図７及び図８に示されている。これらの例において、“基地局”との用語が使用されるであろう。但し、これらの例においてネットワークノードとの用語が使用されてもよい。図７において、無線ネットワーク７００は、少なくとも１つの基地局７０４、並びに以下のようにアクセス情報をブロードキャストし及び同期信号を送信するように基地局７０４を制御する制御ノード７０６、を含む。
【００６２】
基地局７０４は、相対的に広いエリアにわたってアクセスパラメータ構成の圧縮済みセットを含むアクセス情報ＡＩＴをブロードキャストする。基地局７０４は、また、広いエリアの範囲内の複数のより小規模なセクタ又はアンテナビームにわたって、相異なる同期信号（即ち、図中で示されるようなＳＳＩ４、ＳＳＩ５、ＳＳＩ６、及びＳＳＩ７、により指し示される信号）を送信する。それにより、あるセクタ又はアンテナビームにおいてこれら同期信号のうちの１つを受信するいかなるワイヤレスデバイスも、受信される同期信号を用いて、そのセクタ又はアンテナビームにおいて有効なアクセスパラメータ構成を導出することができる。受信される同期信号は、例えば、上述されるようなＳＳＩシーケンスであってもよく、それはワイヤレスデバイスによりＳＳＩへ変換され、そのＳＳＩは、この例において図７に示されているＳＳＩ４〜７のうちの１つであり得る。よって、例えば、ＳＳＩ７に対応する同期信号を受信するワイヤレスデバイス７０２は、例えば上述の実施形態のうちのいずれかに従って、そこから有効なアクセスパラメータを伴うアクセスパラメータ構成を導出することができる。
【００６３】
ネットワークノードの一例である基地局は、例えば、予め定義される方向のセットにおけるアナログビームフォーミングをサポートする高度なアンテナソリューションを具備していてもよい。このケースにおいて、どのビームにおいてワイヤレスデバイス７０２が基地局７０４からの将来のダウンリンクの送信について最良の受信を行うのかを基地局７０４が知得していることが有利であるかもしれず、それは図７のシナリオではランダムアクセス手続から既に達成済みであり得る。それにより、基地局７０４は、例えばワイヤレスデバイス７０２により受信され及び使用されるＳＳＩ７に対応する同期信号に対応するダウンリンクビームにおいてのみ、デバイス７０２へＲＡＲ（Random  Access  Response）を送信することができる。よって、ワイヤレスデバイス７０２は、ＳＳＩ７に係るランダムアクセスパラメータを導出し及び使用することにより、どのダウンリンクビームが最良であるかを指し示し得る。このようにして、ＲＡＲにより引き起こされる干渉が他のビームにおいて回避され得る。
【００６４】
また、基地局は、異なる全ての方向において同時にベースバンド処理を実行するために限られたキャパシティを有しているかもしれず、そのため、異なるダウンリンクビームにおけるワイヤレスデバイスは、基地局が対応するアップリンクビームにおいてランダムアクセスの送信信号をサーチするちょうどそのときに、そのＲＡＣＨプリアンブルを送信することを確実化することが望まれ得る。すると、基地局は、あり得る各方向においてＰＲＡＣＨのシーケンシャルな処理を実行することが可能となり得る。図７の例を使用することで、アクセス情報のブロードキャストの良好な性能を保証しつつ、ＰＲＡＣＨのアップリンクの受信用ビーム形成が可能となる。
【００６５】
図８において、無線ネットワーク８００は、広いエリアをカバーするマクロノードといったネットワークノードの一例である基地局８０４、その広いエリアの範囲内のより小規模なエリアをカバーするネットワークノードのさらなる例である３つの基地局８０８、８１０、及び８１２、並びに以下のようにアクセス情報をブロードキャストし及び同期信号を送信するように基地局８０４、８０８〜８１２を制御する制御ノード８０６の形式のネットワークノード、を含む。
【００６６】
基地局８０４は、相対的に広いエリアにわたって予め定義されるアクセスパラメータ構成の圧縮済みセットを含むアクセス情報ＡＩＴをブロードキャストする。基地局８０８〜８１２及び８０４は、図８に示されているようなそれぞれＳＳＩ１６、ＳＳＩ１７、ＳＳＩ１８、及びＳＳＩ１９、によって指し示される相異なる同期信号を送信する。それにより、これら同期信号のうちのいずれかを受信するいかなるワイヤレスデバイスも、例えば上述の実施形態のうちのいずれかに従って、そこから有効なアクセスパラメータを伴うアクセスパラメータ構成を導出することができる。
【００６７】
例えば、ＳＳＩ１６に対応する同期信号を受信するワイヤレスデバイス８０２は、よって、アクセスパラメータ構成をそれに応じて導出することができる。図８におけるような大規模なエリアにわたってＡＩＴを送信することは、所謂マクロダイバーシティゲインを可能にする。一方、同一の大規模なエリアにわたって同一の同期信号がやはり送信される場合、例えば基地局サイト間におけるＲＡＣＨの整合を要し得るために、追加的な問題が生じかねない。ワイヤレスデバイスがＲＡＣＨプリアンブルを送信するケースにおいて、エリアの範囲内における任意のネットワークノードは、ワイヤレスデバイスへの応答としてＲＡＲメッセージが送信されることを確実化する責任を有するであろう。ネットワークノードがＲＡＲの送信を協調させられないケースにおいて、ワイヤレスデバイスは、異なる基地局から送信されるネットワークからの複数のＲＡＲメッセージを恐らく受信するであろう。
【００６８】
これを回避するための１つのあり得るやり方は、図８における基地局８０４から図示されるような大規模なエリア全体にわたって予め定義されるアクセスパラメータ構成の圧縮済みセットを含む単一のＡＩＴを送信し、一方で基地局８０８〜８１２によりカバーされるより小規模なエリアにおいて異なる同期信号がシグナリングされることであり得る。ＲＡＣＨプリアンブルといったワイヤレスデバイス８０２により使用されるＲＡＣＨ関連パラメータは、そのケースにおいて、どの同期信号が受信されたかに依存し得る。
【００６９】
図９におけるブロック図は、無線ネットワークのシグナリング及びブロードキャストネットワークノード９００、９０４、並びにワイヤレスデバイス９０２が、それぞれ上述の解決策及びその実施形態をもたらすためにいかにして構築され得るかの詳細ではあるが限定的ではない例を示している。この図において、シグナリング及びブロードキャストネットワークノード９００、９０４、並びにワイヤレスデバイス９０２は、上述のように、及び適宜以下のように、解決策を採用する例及び実施形態のうちのいずれかに従って動作するように構成され得る。シグナリング及びブロードキャストネットワークノード９００、９０４、並びにワイヤレスデバイス９０２の各々は、プロセッサ“Ｐ”、メモリ“Ｍ”、並びにここで説明されるやり方で信号を送信し及び受信するのに適した機器を伴う通信回路“Ｃ”、を含むことが図示されている。
【００７０】
よって、シグナリング及びブロードキャストネットワークノード９００、９０４、並びにワイヤレスデバイス９０２の各々における通信回路Ｃは、実装に依存して無線通信に適したプロトコルを使用して無線インタフェース上で通信を行うために構成される機器を含む。シグナリング及びブロードキャストネットワークノード９００、９０４の各々における通信回路Ｃは、さらに、これらノード間だけでなくネットワーク内の他のネットワークノードとの間の通信にも適したプロトコルを使用して、バックホールインタフェース上で通信するために構成される機器を含んでもよい。但し、本解決策は、いかなる特定のタイプのデータ又はプロトコルにも限定されない。
【００７１】
シグナリングネットワークノード９００は、上述されるやり方で、図４Ｂにおけるフローチャートのアクション４０１〜４０４を実行する、ように構成され又は配置される手段を含む。ブロードキャストネットワークノード９０４は、上述されるやり方で、図４Ａにおけるフローチャートのアクション４００を実行する、ように構成され又は配置される手段を含む。さらに、ワイヤレスデバイス９０２は、上述されるやり方で、図４Ｃにおけるフローチャートのアクション４０６〜４１０を実行する、ように構成され又は配置される手段を含む。図４Ａ、図４Ｂ、及び図４Ｃのアクションは、シグナリング及びブロードキャストネットワークノード９００、９０４、並びにワイヤレスデバイス９０２におけるそれぞれのプロセッサＰ内の機能モジュールの手段により実行され得る。
【００７２】
シグナリングネットワークノード９００は、シグナリングネットワークノード９００が無線カバレッジを提供するエリア内の無線ネットワークへアクセスする少なくとも１つのワイヤレスデバイス９０２の動作を制御する、ように構成される。よって、シグナリングネットワークノード９００は、プロセッサＰ及びメモリＭを含んでもよく、当該メモリは、当該プロセッサにより実行可能な命令を含み、それによりシグナリングネットワークノード９００は以下のように動作可能である。
【００７３】
シグナリングネットワークノード９００は、無線ネットワークへアクセスするために少なくとも１つのワイヤレスデバイス９０２により使用されるべきアクセスパラメータ構成を取得するように動作可能であり、異なる複数の同期信号のレンジが予め定義されるアクセスパラメータ構成の圧縮済みセット内のあるアクセスパラメータへ共同的にマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、当該異なる複数の同期信号が関連付けられる。この動作は、例えば上記アクション４０１について説明したやり方で、シグナリングネットワークノード９００内の取得モジュール９００ａにより実行され得る。
【００７４】
シグナリングネットワークノード９００は、また、当該予め定義されるマッピングに従って、アクセスパラメータ構成に関連付けられる同期信号を取得するように動作可能である。この動作は、例えば上記アクション４０２について説明されるやり方で、取得モジュール９００ａにより実行され得る。シグナリングネットワークノード９００は、また、取得される同期信号を少なくとも１つのワイヤレスデバイス９０２へシグナリングして、シグナリングされる同期信号及び当該予め定義されるマッピングに基づいて予め定義されるアクセスパラメータ構成の圧縮済みセットから、少なくとも１つのワイヤレスデバイス９０２が当該アクセスパラメータ構成を導出することを可能にするように動作可能である。この動作は、例えば上記アクション４０４について説明したやり方で、シグナリングモジュール９００ｂにより実行され得る。
【００７５】
ブロードキャストネットワークノード９０４は、シグナリングネットワークノード９００が無線カバレッジを提供するエリア内の無線ネットワークへアクセスする少なくとも１つのワイヤレスデバイス９０２の動作を制御する、ように構成される。よって、ブロードキャストネットワークノード９０４は、プロセッサＰ及びメモリＭを含んでもよく、当該メモリは、当該プロセッサにより実行可能な命令を含み、それによりブロードキャストネットワークノード９０４は以下のように動作可能である。
【００７６】
ブロードキャストネットワークノード９０４は、予め定義されるアクセスパラメータ構成の圧縮済みセットをブロードキャストするように動作可能であり、複数の同期信号のレンジが予め定義されるアクセスパラメータ構成の圧縮済みセット内のあるアクセスパラメータへ共同的にマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、当該異なる複数の同期信号が関連付けられる。この動作は、例えば上記アクション４００について説明したやり方で、ブロードキャストネットワークノード９０４内のブロードキャストモジュール９０４ａにより実行され得る。
【００７７】
ワイヤレスデバイス９０２は、シグナリングネットワークノード９００が無線カバレッジを提供するエリア内の無線ネットワークへアクセスする、ように構成される。よって、ワイヤレスデバイス９０２は、プロセッサＰ及びメモリＭを含んでもよく、当該メモリは、当該プロセッサにより実行可能な命令を含み、それによりワイヤレスデバイス９０２は以下のように動作可能である。
【００７８】
ワイヤレスデバイス９０２は、無線ネットワークへアクセスするために、予め定義されるアクセスパラメータ構成の圧縮済みセット内に含まれるアクセスパラメータ構成に関連付けられる同期信号を、シグナリングネットワークノード９００から受信するように動作可能であり、異なる複数の同期信号のレンジが予め定義されるアクセスパラメータ構成の圧縮済みセット内のあるアクセスパラメータへ共同的にマッピングされるような、異なる複数の同期信号と異なる複数のアクセスパラメータ構成との間の予め定義されるマッピングに従って、予め定義されるアクセスパラメータ構成の圧縮済みセット内の異なる複数のアクセスパラメータ構成に、当該異なる複数の同期信号が関連付けられる。この受信動作は、例えば上記アクション４０６について説明したやり方で、ワイヤレスデバイス９０２内の受信モジュール９０２ａにより実行され得る。
【００７９】
ワイヤレスデバイス９０２は、また、受信される同期信号及び予め定義されるマッピングに基づいて、予め定義されるアクセスパラメータ構成の圧縮済みセットから、上記アクセスパラメータ構成を導出するように動作可能である。この動作は、例えば上記アクション４０８について説明したやり方で、導出モジュール９０２ｂにより実行され得る。ワイヤレスデバイス９０２は、また、導出されるアクセスパラメータ構成に従って、無線ネットワークへアクセスするように動作可能である。この動作は、例えば上記アクション４１０について説明したやり方で、ワイヤレスデバイス９０２内のアクセスモジュール９０２ｃにより実行され得る。
【００８０】
留意すべきこととして、図９は、シグナリング及びブロードキャストネットワークノード９００、９０４、並びにワイヤレスデバイス９０２内の多様な機能モジュールをそれぞれ示しており、当業者は、適切なソフトウェア及びハードウェアを用いて実践においてこれら機能モジュールを実装することができる。よって、本解決策は、概して、シグナリング及びブロードキャストネットワークノード９００、９０４並びにワイヤレスデバイス９０２の図示された構造には限定されず、それらにおける機能モジュール９００ａ〜ｂ、９０４ａ及び９０２ａ〜ｃは、適当な場合には、本開示において説明した特徴及び実施形態のいずれに従って動作するようにも構成されてよい。
【００８１】
上述した機能モジュール９００ａ〜ｂ、９０４ａ及び９０２ａ〜ｃを、それぞれのコンピュータプログラムのプログラムモジュールの手段により、シグナリング及びブロードキャストネットワークノード９００、９０４、並びにワイヤレスデバイス９０２においてそれぞれ実装することができ、それらコンピュータプログラムは、プロセッサＰによって実行されると、シグナリング及びブロードキャストネットワークノード９００、９０４、並びにワイヤレスデバイス９０２に、上述したアクション及び手続を実行させるコード手段、を含む。各プロセッサＰは、単一のＣＰＵ（Central  Processing  Unit）を含んでもよく、又は２つ以上の処理ユニットを含むことができる。例えば、各プロセッサＰは、汎用マイクロプロセッサ、命令セットプロセッサ、及び／若しくは関連するチップセット、並びに／又はＡＳＩＣ（Application  Specific  Integrated  Circuit）といった特殊目的のマイクロプロセッサ、を含んでもよい。各プロセッサＰは、キャッシュ目的のためのストレージをも含んでもよい。
【００８２】
各コンピュータプログラムは、シグナリング及びブロードキャストネットワークノード９００、９０４並びにワイヤレスデバイス９０２の各々におけるコンピュータプログラムプロダクトによって、コンピュータ読取可能な媒体を有し及びプロセッサＰへ接続されるメモリの形式で、担持されてもよい。シグナリング及びブロードキャストネットワークノード９００、９０４並びにワイヤレスデバイス９０２の各々におけるコンピュータプログラムプロダクト又はメモリＭは、そのようにして、コンピュータプログラムが例えばコンピュータプログラムモジュールなどの形式で記憶されたコンピュータ読取可能な媒体を含む。例えば、各ノード内のメモリＭは、フラッシュメモリ、ＲＡＭ（Random-Access  Memory）、ＲＯＭ（Read-Only  Memory）、又はＥＥＰＲＯＭ（Electrically  Erasable  Programmable  ROM）であってもよく、プログラムモジュールは、代替的な実施形態では、それぞれのシグナリング及びブロードキャストネットワークノード９００、９０４並びにワイヤレスデバイス９０２内のメモリの形式で、異なる複数のコンピュータプログラムプロダクト上に分散されてもよい。
【００８３】
ここで説明した解決策は、適当な場合には、少なくとも１つのプロセッサ上で実行された場合に当該少なくとも１つのプロセッサに、上記の実施形態のうちいずれかに係るアクション群を遂行させる命令、を含むコンピュータプログラムによって、シグナリング及びブロードキャストネットワークノード９００、９０４並びにワイヤレスデバイス９０２の各々内に実装されてもよい。本解決策は、シグナリング及びブロードキャストネットワークノード９００、９０４並びにワイヤレスデバイス９０２の各々において、上記コンピュータプログラムを収容する担体で実装されてもよく、その担体は、電子信号、光信号、無線信号、又はコンピュータ読取可能な記憶媒体、のうちの１つである。
【００８４】
本解決策は、特定の例示的な実施形態への参照と共に説明されているものの、その説明は、概して本発明概念を例示することを意図されているのみであり、本解決策のスコープを限定するものとして受け取られるべきではない。例えば、本開示を通じて、“ネットワークノード”、“ワイヤレスデバイス”、“アクセスパラメータ”、“アクセスパラメータ構成”、“同期信号”及び“予め定義されるマッピング”という用語が使用されているが、ここで説明した特徴及び特性を有する任意の他の対応するエンティティ、機能、及び／又はパラメータもまた使用されることができる。本解決策は、添付の特許請求の範囲により定義される。
【図１】
0006608530.tif 000002
【図２】
0006608530.tif 000003
【図３】
0006608530.tif 000004
【図４Ａ】
0006608530.tif 000005
【図４Ｂ】
0006608530.tif 000006
【図５Ａ】
0006608530.tif 000007
【図５Ｂ】
0006608530.tif 000008
【図６Ａ】
0006608530.tif 000009
【図６Ｂ】
0006608530.tif 000010
【図７】
0006608530.tif 000011
【図８】
0006608530.tif 000012
【図９】
0006608530.tif 000013